(57)【要約】【課題】ターボ冷凍機を複数用いた温度調整装置において、温度調整対象を昇温させる運転をする場合の効率低下を簡素な構成で抑止することを課題とする。【解決手段】それぞれ蒸発器１１、圧縮機１２、凝縮器１３及び膨張弁１５，１６を熱媒体Ｈが循環するターボ冷凍機１０Ａ，１０Ｂと、熱媒体Ｈと熱交換を行う流体Ｗが循環すると共に、外部と熱交換させる対外熱交換部２１及び温度調整対象Ｒと熱交換させる主熱交換部２２を有する循環系２０とを備え、循環系２０は、ターボ冷凍機の片方１０Ｂの凝縮器１３Ｂと主熱交換部２２との間で流体Ｗを循環させ、ターボ冷凍機の残り片方１０Ａの蒸発器１１Ａと対外熱交換部２１との間で流体Ｗを循環させ、蒸発器１１Ｂと凝縮器１３Ａとを接続して流体Ｗを循環させる第二モードＡ２に切り替えることを特徴とする。【選択図】図３
2011257036.tif 000002
【特許請求の範囲】
【請求項１】
それぞれ蒸発器、圧縮機、凝縮器及び膨張弁の間を熱媒体が循環する一対のターボ冷凍機と、
前記熱媒体と熱交換を行う流体が循環すると共に、前記流体と外部との間で熱を交換させる対外熱交換部及び前記流体と温度調整対象との間で熱を交換させる主熱交換部を有する循環系と、を備える温度調整装置であって、
前記循環系は、前記一対のターボ冷凍機における一対の前記凝縮器を直列に接続して前記一対の凝縮器と前記対外熱交換部との間で前記流体を循環させると共に、前記一対のターボ冷凍機における一対の前記蒸発器を直列に接続して前記一対の蒸発器と前記主熱交換部との間で前記流体を循環させる第一モードと、
前記一対のターボ冷凍機のうち片方の前記凝縮器と前記主熱交換部との間で前記流体を循環させると共に、前記一対のターボ冷凍機のうち残り片方の前記蒸発器と前記対外熱交換部との間で前記流体を循環させ、さらに、前記一対のターボ冷凍機のうち片方の前記蒸発器と残り片方の前記凝縮器とを接続して前記流体を循環させる第二モードとを切り替え可能であることを特徴とする温度調整装置。
【請求項２】
前記循環系は、前記一対のターボ冷凍機のうち片方の前記凝縮器と前記対外熱交換部との間で前記流体を循環させると共に、前記一対のターボ冷凍機のうち片方の前記蒸発器と前記主熱交換部との間で前記流体を循環させる第三モードを切り替え可能であることを特徴とする請求項１に記載の温度調整装置。
【請求項３】
前記循環系は、前記一対のターボ冷凍機のうち残り片方の前記凝縮器と前記対外熱交換部との間で前記流体を循環させると共に、前記一対のターボ冷凍機のうち残り片方の前記蒸発器と前記主熱交換部との間で前記流体を循環させる第四モードを切り替え可能であることを特徴とする請求項１又は２に記載の温度調整装置。
【請求項４】
前記一対のターボ冷凍機を接続すると共に、前記一対のターボ冷凍機のうち少なくとも片方から残りの片方に前記熱媒体を移動可能な流路を有することを特徴とする請求項１から３のうちいずれか一項に記載の温度調整装置。
【発明の詳細な説明】
【技術分野】
【０００１】
本発明は、温度調整装置に関するものである。
【背景技術】
【０００２】
周知のように、ターボ冷凍機は、蒸発器、遠心圧縮機、凝縮器及び膨張弁を熱媒体が循環することによって冷凍サイクルが構成されている。このターボ冷凍機を空調に用いる場合には、遠心圧縮機が冷房仕様点で最高効率状態となるように冷房専用に設計されるのが通常である。ところが、遠心圧縮機を冷房専用に設計すると、暖房に用いる場合（外気から熱を吸上げる場合）に遠心圧縮機に要求される圧力比（以下、必要圧力比という。）を満足することができず、蒸発器と凝縮器との間で確保することができる最大温度差（蒸発器圧力と凝縮器圧力との間の最大圧力差）が不足してしまう。
【０００３】
この冷房専用に設計された遠心圧縮機においては、回転数を増加させることにより圧力比を大きくすることが可能であるが、回転数を増加させると効率が低下してしまうと共に、チョーク点とサージ点の間の流量作動範囲が狭くなってターボ冷凍機の部分負荷特性が悪化してしまう。一方、暖房仕様点（高回転時）で最高効率状態となるように遠心圧縮機を設計すると、冷房時の効率が低下してしまう。
【０００４】
下記特許文献１においては、冷房仕様点で最高効率状態となるように設計された遠心圧縮機と暖房仕様点で最高効率状態となるように設計された遠心圧縮機とを切替可能に構成して、冷房運転及び暖房運転に応じて二つの遠心圧縮機を選択して運転している。
【先行技術文献】
【特許文献】
【０００５】
【特許文献１】実公昭５９−２６２０６号公報
【発明の概要】
【発明が解決しようとする課題】
【０００６】
ところで、ターボ冷凍機の冷凍能力を増加させるために、複数のターボ冷凍機の凝縮器同士と、蒸発器同士とをそれぞれ並列に接続する構成が知られているが、上記と同様の理由により、冷房運転及び暖房運転の双方で良好な効率を得ることは困難であった。
【０００７】
しかしながら、上記特許文献１の技術では、ターボ冷凍機を複数用いた場合においては、それぞれのターボ冷凍機において異なる二つの仕様の遠心圧縮機を構成する必要があるため、装置が複雑化してしまうという問題がある。
【０００８】
本発明は、このような事情を考慮してなされたもので、ターボ冷凍機を複数用いた温度調整装置において、温度調整対象を昇温させる運転をする場合の効率低下を簡素な構成で抑止することを課題とする。
【課題を解決するための手段】
【０００９】
上記目的を達成するために、本発明は以下の手段を採用している。
すなわち、本発明に係る温度調整装置は、それぞれ蒸発器、圧縮機、凝縮器及び膨張弁の間を熱媒体が循環する一対のターボ冷凍機と、前記熱媒体と熱交換を行う流体が循環すると共に、前記流体と外部との間で熱を交換させる対外熱交換部及び前記流体と温度調整対象との間で熱を交換させる主熱交換部を有する循環系と、を備える温度調整装置であって、前記循環系は、前記一対のターボ冷凍機における一対の前記凝縮器を直列に接続して前記一対の凝縮器と前記対外熱交換部との間で前記流体を循環させると共に、前記一対のターボ冷凍機における一対の前記蒸発器を直列に接続して前記一対の蒸発器と前記主熱交換部との間で前記流体を循環させる第一モードと、前記一対のターボ冷凍機のうち片方の前記凝縮器と前記主熱交換部との間で前記流体を循環させると共に、前記一対のターボ冷凍機のうち残り片方の前記蒸発器と前記対外熱交換部との間で前記流体を循環させ、さらに、前記一対のターボ冷凍機のうち片方の前記蒸発器と残り片方の前記凝縮器とを接続して前記流体を循環させる第二モードとを切り替え可能であることを特徴とする。
この構成によれば、第二モードにおいて、片方のターボ冷凍機の蒸発器と残り片方のターボ冷凍機の凝縮器とに流体を循環させるので、片方のターボ冷凍機における高圧の冷凍サイクルを構成すると共に残り片方のターボ冷凍で低圧の冷凍サイクルを構成することによって一つの段積サイクルを構成することが可能である。これにより、低圧の冷凍サイクルによって低い蒸発器圧力を確保することができると共に、高圧の冷凍サイクルによって高い凝縮器圧力を確保することができるので、段積サイクル全体における蒸発器圧力と凝縮器圧力との圧力差を大きく確保することができる。従って、各圧縮機の要求圧力比を小さくすることができるので、各圧縮機の回転数を極端に増大させないで要求圧力比を満足させることが可能であり、効率低下を抑止しつつ温度調整対象を昇温させることができる。
また、配管接続構成を変更するだけで、段積みサイクルを構成することが可能なので、装置構成を簡素にすることができる。
従って、ターボ冷凍機を複数用いた温度調整装置において、温度調整対象を昇温させる運転をする場合の効率低下を簡素な構成で抑止することができる。
【００１０】
また、前記循環系は、前記一対のターボ冷凍機のうち片方の前記凝縮器と前記対外熱交換部との間で前記流体を循環させると共に、前記一対のターボ冷凍機のうち片方の前記蒸発器と前記主熱交換部との間で前記流体を循環させる第三モードを切り替え可能であることを特徴とする。
この構成によれば、片方のターボ冷凍機の凝縮器と対外熱交換部との間で流体を循環させると共に、片方のターボ冷凍機の蒸発器と主熱交換部との間で流体を循環させる第三モードを有するので、片方のターボ冷凍機のみを用いて流体を循環させることにより、温度調整対象を降温させる運転の部分負荷運転に対応することができると共に、残り片方の凝縮器及び蒸発器を流体が通過しないので、熱損失を抑制することができる。
【００１１】
また、前記循環系は、前記一対のターボ冷凍機のうち残り片方の前記凝縮器と前記対外熱交換部との間で前記流体を循環させると共に、前記一対のターボ冷凍機のうち残り片方の前記蒸発器と前記主熱交換部との間で前記流体を循環させる第四モードを切り替え可能であることを特徴とする。
この構成によれば、残り片方のターボ冷凍機の凝縮器と対外熱交換部との間で流体を循環させると共に、残り片方のターボ冷凍機の蒸発器と主熱交換部との間で流体を循環させる第四モードを有するので、残り片方のターボ冷凍機のみを用いて流体を循環させることにより、温度調整対象を降温させる運転の部分負荷運転に対応することができると共に、片方の凝縮器及び蒸発器を流体が通過しないので、熱損失を抑制することができる。
【００１２】
また、前記一対のターボ冷凍機を接続すると共に、前記一対のターボ冷凍機のうち少なくとも片方から残りの片方に前記熱媒体を移動可能な流路を有することを特徴とする。
この構成によれば、熱媒体を移動可能な流路を有するので、低圧の冷凍サイクルが構成される残り片方のターボ冷凍機の熱媒体の一部を高圧の冷凍サイクルが構成される片方のターボ冷凍機へ移動させることで、あるいは、片方のターボ冷凍機から残り片方のターボ冷凍機に熱媒体の一部を移動させることで、一対のターボ冷凍機における熱媒体を過不足なく適量なものにすることができる。
【発明の効果】
【００１３】
本発明に係る温度調整装置によれば、温度調整対象を昇温させる運転をする場合の効率低下を簡素な構成で抑止することができる。
【図面の簡単な説明】
【００１４】
【図１】本発明の第一実施形態に係る温度調整装置１の概略構成図である。
【図２】本発明の第一実施形態に係る並列サイクル冷房モードＡ１の場合における循環系２０の配管接続図である。
【図３】本発明の第一実施形態に係る段積暖房モードＡ２の場合の場合における循環系２０の配管接続図である。
【図４】本発明の第一実施形態に係る冷房時におけるターボ冷凍機１０（１０Ａ，１０Ｂ）の二段圧縮サイクルを圧力エンタルピ線図（ｐｈ線図）に示したものであって、横軸がエンタルピ（ｈ）、縦軸が圧力（ｐ）、実線がターボ冷凍機１０Ａのサイクル、破線がターボ冷凍機１０Ｂのサイクルを示している。
【図５】本発明の第一実施形態に係る暖房時におけるターボ冷凍機１０（１０Ａ，１０Ｂ）の二段圧縮サイクルを圧力エンタルピ線図（ｐｈ線図）に示したものであって、横軸がエンタルピ（ｈ）、縦軸が圧力（ｐ）、実線がターボ冷凍機１０Ａのサイクル、破線がターボ冷凍機１０Ｂのサイクルを示している。
【図６】本発明の第一実施形態の第一変形例である温度調整装置１ａの概略構成図である。
【図７】本発明の第一実施形態の第二変形例である温度調整装置１ｂの概略構成図である。
【図８】本発明の第一実施形態の第二変形例である温度調整装置１ｂにおいて、並列サイクル冷房モードＡ１の場合における循環系２０ｂの配管接続図である。
【図９】本発明の第一実施形態の第二変形例である温度調整装置１ｂにおいて、段積暖房モードＡ２の場合における循環系２０ｂの配管接続図である。
【図１０】本発明の第一実施形態の第二変形例である温度調整装置１ｂにおいて、循環系２０ｂの接続条件を示した図である。
【図１１】本発明の第二実施形態に係る温度調整装置２の概略構成図である。
【図１２】本発明の第二実施形態に係る温度調整装置２において、並列サイクル冷房モードＡ１の場合における循環系２０ｃの配管接続図である。
【図１３】本発明の第二実施形態に係る温度調整装置２において、段積暖房モードＡ２の場合における循環系２０ｃの配管接続図である。
【図１４】本発明の第二実施形態に係る温度調整装置２において、冷房部分負荷モードＡ３の場合における循環系２０ｃの配管接続図である。
【図１５】本発明の第二実施形態に係る温度調整装置２において、冷房部分負荷モードＡ４の場合における循環系２０ｃの配管接続図である。
【図１６】本発明の第三実施形態に係る温度調整装置３の概略構成図である。
【図１７】本発明の第三実施形態に係る温度調整装置３において、並列サイクル冷房モードＡ１の場合における循環系２０ｄの配管接続図である。
【図１８】本発明の第三実施形態に係る温度調整装置３において、段積暖房モードＡ２の場合における循環系２０ｄの配管接続図である。
【発明を実施するための形態】
【００１５】
以下、図面を参照し、本発明の実施の形態について説明する。
（第一実施形態）
図１は、本発明の第一実施形態に係る温度調整装置１の概略構成図である。
図１に示すように、温度調整装置１は、ビル居室の空調用として配設されたものであり、一対のターボ冷凍機１０（１０Ａ，１０Ｂ）と、循環系２０とを備えている。
【００１６】
ターボ冷凍機１０（１０Ａ，１０Ｂ）は、図１に示すように、蒸発器１１、遠心圧縮機（圧縮機）１２、凝縮器１３、中間冷却器１４及び膨張弁１５，１６を備えている。
【００１７】
遠心圧縮機１２は、羽根車（不図示）を二段有すると共に回転数が可変に構成され、冷房仕様点で最高効率状態となるように設計されている。
【００１８】
このような遠心圧縮機１２を備えるターボ冷凍機１０は、熱媒体Ｈが循環して二段圧縮サイクルを構成するようになっている。
具体的には、遠心圧縮機１２の一段目の羽根車（不図示）で中間圧力まで気相の熱媒体Ｈを圧縮する。中間圧力に圧縮された熱媒体Ｈは、中間冷却器１４から流入した冷却熱媒体Ｈと合流して冷却されると共に遠心圧縮機１２の二段目の羽根車（不図示）で凝縮圧力まで圧縮される。凝縮圧力に圧縮された熱媒体Ｈは、凝縮器１３に送られて後述の循環水（流体）Ｗに熱を奪われて凝縮し、液相となる。液相となった熱媒体Ｈは、膨張弁１５で膨張した後に、中間冷却器１４を経て大部分が膨張弁１６を介して蒸発器１１へと送られる。蒸発器１１においては、循環水Ｗの熱を奪うことにより気相となり、この気相となった熱媒体Ｈが遠心圧縮機１２の一段目の羽根車（不図示）へと送られる。
【００１９】
このようなターボ冷凍機１０（１０Ａ，１０Ｂ）は、暖房運転において、それぞれの熱媒体Ｈの熱交換量が調整されることにより、ターボ冷凍機１０Ａ（一対のターボ冷凍機のうち残り片方のターボ冷凍機）が低圧側で二段圧縮サイクルを構成すると共に、ターボ冷凍機１０Ｂ（一対のターボ冷凍機のうち片方のターボ冷凍機）が高圧側で二段圧縮サイクルを構成する。
なお、以下の説明においては、ターボ冷凍機１０Ａ，１０Ｂの構成要素について、ターボ冷凍機１０Ａ，１０Ｂのいずれのものであるかを区別するために、符号末尾にＡ，Ｂを付す場合がある。
【００２０】
循環系２０は、ターボ冷凍機１０（１０Ａ，１０Ｂ）の熱媒体Ｈと熱交換を行う循環水Ｗが循環するものであり、図１に示すように、対外熱交換部２１と、主熱交換部２２と、第一切替部２８と、第二切替部２９と、管路（後述する。）とを備えている。
【００２１】
対外熱交換部２１は、ビル外部に設置されており、ヒーティングタワー（不図示）とクーリングタワー（不図示）とを備えている。この対外熱交換部２１は、第一切替部２８から流入させた循環水Ｗをクーリングタワー（不図示）に導き入れて循環水Ｗの熱を外気に放出させると共に、第二切替部２９から流入した循環水Ｗをヒーティングタワー（不図示）に導き入れて外気の熱を循環水Ｗに吸収させる。そして、再び循環水Ｗを第一切替部２８又は第二切替部２９に送り返す。また、ヒーティングタワーがクーリングタワーと共用でもよい。
【００２２】
主熱交換部２２は、ビル内の各居室に往き渡るように配設された複数の分配管からなる（以下、ビル内の居室全体をいう場合に単に「ビル居室Ｒ」という。）。主熱交換部２２は、ヘッダを介して、第一切替部２８又は第二切替部２９に択一的に接続されている。つまり、主熱交換部２２は、第一切替部２８又は第二切替部２９から管内に循環水Ｗを流入させると共に、流入した循環水Ｗが管内を流れる間にビル居室（温度調整対象）Ｒの空気と熱交換をさせる。そして、熱交換を終えた循環水Ｗを、ヘッダを介して、再び第一切替部２８又は第二切替部２９に送り返す。
【００２３】
第一切替部２８及び第二切替部２９は、それぞれに流入した循環水Ｗの接続先を対外熱交換部２１又は主熱交換部２２に択一的に切り替える。これら第一切替部２８及び第二切替部２９は、一方が対外熱交換部２１に接続すると、他方が主熱交換部２２に接続するように、制御部（不図示）によって制御される。
【００２４】
循環系２０は、循環水Ｗを一定の方向に送るポンプＰ１とポンプＰ２とポンプＰ３とを備えており、第一主配管系２５及び第二主配管系２６と、副配管系２７とを備えている。
【００２５】
第一主配管系２５は、ポンプＰ１と凝縮器１３Ａとを接続する主配管Ｍ１と、凝縮器１３Ａと凝縮器１３Ｂとを接続する主配管Ｍ２と、凝縮器１３Ｂと第一切替部２８とを接続する主配管Ｍ３と、第一切替部２８とポンプＰ１とを接続する主配管Ｍ４とを備えている。なお、ポンプＰ１は、主配管Ｍ４側から主配管Ｍ１側に循環水Ｗを送りだす。
【００２６】
第二主配管系２６は、ポンプＰ２と蒸発器１１Ｂとを接続する主配管Ｍ５と、蒸発器１１Ｂと蒸発器１１Ａとを接続する主配管Ｍ６と、蒸発器１１Ａと第二切替部２９とを接続する主配管Ｍ７と、第二切替部２９とポンプＰ２とを接続する主配管Ｍ８とを備えている。なお、ポンプＰ２は、主配管Ｍ８側から主配管Ｍ５側に循環水Ｗを送りだす。
【００２７】
副配管系２７は、主配管Ｍ１と主配管Ｍ２とを接続する副配管Ｓ１と、主配管Ｍ５と主配管Ｍ６とを接続する副配管Ｓ２と、主配管Ｍ２のうち副配管Ｓ１よりも凝縮器１３Ａ側と主配管Ｍ６のうち副配管Ｓ２よりも蒸発器１１Ｂ側とを接続する副配管Ｓ３と、主配管Ｍ１のうち副配管Ｓ１よりも凝縮器１３Ａ側と主配管Ｍ５のうち副配管Ｓ２よりも蒸発器１１Ｂ側とを接続する副配管Ｓ４とを備えている。なお、ポンプＰ３は、副配管Ｓ４に配設されており、主配管Ｍ１側から主配管Ｍ５側に循環水Ｗを送り出す。
【００２８】
このような循環系２０は、複数の弁Ｂ１〜Ｂ８を有している。
すなわち、主配管Ｍ１のうち副配管Ｓ１と副配管Ｓ４との間に配設された弁Ｂ１と、主配管Ｍ２のうち副配管Ｓ３と副配管Ｓ１との間に配設された弁Ｂ２と、主配管Ｍ５のうち副配管Ｓ２と副配管Ｓ４との間に配設された弁Ｂ３と、主配管Ｍ６のうち副配管Ｓ３と副配管Ｓ２との間に配設された弁Ｂ４と、副配管Ｓ３に配設された弁Ｂ５と、副配管Ｓ１に配設された弁Ｂ６と、副配管Ｓ２に配設された弁Ｂ７と、副配管Ｓ４のうちポンプＰ３よりも主配管Ｍ１側に配設された弁Ｂ８とを有している。
なお、循環系２０の弁Ｂ１〜Ｂ８は、制御部（不図示）によって開閉制御される。
【００２９】
このような循環系２０は、温度調整装置１の運転モードに対応して、並列サイクル冷房モード（第一モード）Ａ１と、段積暖房モード（第二モード）Ａ２とを切り替える。
【００３０】
図２は、並列サイクル冷房モードＡ１の場合における循環系２０の配管接続図である。
並列サイクル冷房モードＡ１においては、弁Ｂ１〜弁Ｂ４を開とする共に弁Ｂ５〜Ｂ８を閉とし、第一切替部２８を対外熱交換部２１に接続すると共に第二切替部２９を主熱交換部２２に接続する。
そうすると、図２に太線で示すように、凝縮器１３Ａ，１３Ｂと第一切替部２８とポンプＰ１とが循環接続される一方（以下、「冷房時高温流路Ｃ１」という。）、蒸発器１１Ａ，１１Ｂと第二切替部２９とポンプＰ２とが循環接続される（以下、「冷房時低温流路Ｃ２」という。）。
このようにして、循環系２０は、冷房時高温流路Ｃ１において凝縮器１３Ａ，１３Ｂを直列に接続して凝縮器１３Ａ，１３Ｂと対外熱交換部２１との間で循環水Ｗを循環させると共に、冷房時低温流路Ｃ２において蒸発器１１Ａ，１１Ｂを直列に接続して蒸発器１１Ａ，１１Ｂと主熱交換部２２との間で循環水Ｗを循環させる。
【００３１】
図３は、段積暖房モードＡ２の場合における循環系２０の場合における配管接続図である。
段積暖房モードＡ２においては、弁Ｂ１〜Ｂ４を閉とすると共に弁Ｂ５〜Ｂ８を開とし、第一切替部２８を主熱交換部２２に接続すると共に第二切替部２９を対外熱交換部２１に接続する。
そうすると、副配管Ｓ１が連通すると共に弁Ｂ１，Ｂ２が閉とされることで、図３に太線で示すように、凝縮器１３Ｂと第一切替部２８とポンプＰ１とが循環接続される（以下、「暖房時高温流路Ｒ１」という。）。
また、副配管Ｓ２が連通すると共に弁Ｂ３，Ｂ４が閉とされることで、蒸発器１１Ａと第二切替部２９とポンプＰ２とが循環接続される（以下、「暖房時低温流路Ｒ２」という。）。
さらに、副配管Ｓ３と副配管Ｓ４とが連通すると共に、弁Ｂ１〜Ｂ４が閉とされることで、凝縮器１３Ａと蒸発器１１ＢとポンプＰ３とが循環接続される（以下、「暖房時中間温度流路Ｒ３」という。）。
【００３２】
このようにして、循環系２０は、暖房時高温流路Ｒ１において凝縮器１３Ｂと主熱交換部２２との間で循環水Ｗを循環させると共に、暖房時低温流路Ｒ２において蒸発器１１Ａと対外熱交換部２１との間で循環水Ｗを循環させ、さらに、暖房時中間温度流路Ｒ３において蒸発器１１Ｂと凝縮器１３Ａとの間で循環水Ｗを循環させる。
【００３３】
次に、上記の構成からなる温度調整装置１の動作について図を用いて説明する。
まず、冷房運転をする場合には、制御部（不図示）が循環系２０を並列サイクル冷房モードＡ１に設定する。具体的には、図２に示すように、弁Ｂ１〜Ｂ４を開とし、弁Ｂ５〜Ｂ８を閉とすると共に、第一切替部２８を対外熱交換部２１に接続し、第二切替部２９を主熱交換部２２に接続する。
このようにして、冷房時高温流路Ｃ１において凝縮器１３Ａ，１３Ｂと対外熱交換部２１との間で循環水Ｗを循環させると共に、冷房時低温流路Ｃ２において蒸発器１１Ａ，１１Ｂと主熱交換部２２との間で流体を循環させる。
【００３４】
冷房時低温流路Ｃ２においては、循環水Ｗが蒸発器１１Ａ，１１Ｂを流れる際にターボ冷凍機１０Ａ，１０Ｂの熱媒体Ｈに熱を奪われて冷却され、この冷却された循環水Ｗが第二切替部２９を介して主熱交換部２２に流入し、ビル居室Ｒの空気から熱を奪ってビル居室Ｒを冷房する。そして、熱交換を終えて昇温した循環水Ｗが第二切替部２９に送り返された後に、ポンプＰ２に吸引されると共に蒸発器１１Ａ，１１Ｂに向けて送り出され、再び蒸発器１１Ａ，１１Ｂにおいて熱媒体Ｈに熱を奪われて冷却される。
【００３５】
ターボ冷凍機１０（１０Ａ，１０Ｂ）においては、上述した二段圧縮サイクルが構成されており、蒸発器１１（１１Ａ，１１Ｂ）において冷房時低温流路Ｃ２の循環水Ｗから奪った熱を、凝縮器１３（１３Ａ，１３Ｂ）において冷房時高温流路Ｃ１の循環水Ｗに熱を受け渡す。
【００３６】
冷房時高温流路Ｃ１においては、循環水Ｗが凝縮器１３Ａ，１３Ｂを流れる際にターボ冷凍機１０Ａ，１０Ｂの熱媒体Ｈから熱を受け取って昇温し、この昇温した循環水Ｗが第一切替部２８を介して対外熱交換部２１に流入し、外気に熱を放出する。そして、降温した循環水Ｗが対外熱交換部２１から第一切替部２８に送り返された後に、ポンプＰ１に吸引されると共に凝縮器１３Ａ、１３Ｂに向けて送り出され、再び凝縮器１３Ａ，１３Ｂにおいて熱媒体Ｈから熱を受け取って昇温する。
【００３７】
図４は、冷房時におけるターボ冷凍機１０（１０Ａ，１０Ｂ）の二段圧縮サイクルを圧力エンタルピ線図（ｐｈ線図）に示したものであって、横軸がエンタルピ（ｈ）、縦軸が圧力（ｐ）、実線がターボ冷凍機１０Ａのサイクル、破線がターボ冷凍機１０Ｂのサイクルを示している。
ターボ冷凍機１０Ａ，１０Ｂにおいては、それぞれ略等しい蒸発器圧力ｐａ及び凝縮器圧力ｐｂで二段圧縮サイクルが構成される（並列サイクル）。冷房運転においては、図４に示すように、蒸発器圧力ｐａ（＝ｐａ１）と凝縮器圧力ｐｂ（＝ｐｂ１）とに要求される圧力差分（温度差分）が小さくなっており、遠心圧縮機１２の回転数が低回転であっても遠心圧縮機１２に要求される圧力比を満足することができる。
【００３８】
次に、暖房運転をする場合には、制御部（不図示）が循環系２０を段積暖房モードＡ２に切り替える。具体的には、弁Ｂ１〜Ｂ４を閉とにすると共に弁Ｂ５〜Ｂ８を開とし、第一切替部２８を主熱交換部２２に接続すると共に第二切替部２９を対外熱交換部２１に接続する。
このようにして、暖房時高温流路Ｒ１において凝縮器１３Ｂと主熱交換部２２との間で循環水Ｗを循環させると共に、暖房時低温流路Ｒ２において蒸発器１１Ａと対外熱交換部２１との間で循環水Ｗを循環させる一方、暖房時中間温度流路Ｒ３において蒸発器１１Ｂと凝縮器１３Ａとの間で循環水Ｗを循環させる。
【００３９】
暖房時低温流路Ｒ２においては、循環水Ｗが蒸発器１１Ａを流れる際にターボ冷凍機１０Ａの熱媒体Ｈに熱を奪われて降温して、この降温した循環水Ｗが第二切替部２９を介して対外熱交換部２１に流入し、外気から熱を吸収して昇温する。そして、昇温した循環水Ｗが対外熱交換部２１から第二切替部２９に送り返された後に、ポンプＰ２に吸引されると共に蒸発器１１Ａに向けて送り出され、再び蒸発器１１Ａにおいて熱媒体Ｈに熱を奪われて降温する。
このように、循環水Ｗは、暖房時低温流路Ｒ２を循環することで、外気の熱をターボ冷凍機１０Ａの熱媒体Ｈに受け渡す。
【００４０】
ターボ冷凍機１０Ａにおいては、全体的に低圧のサイクルとなるように二段圧縮サイクルが構成されており（図５参照）、蒸発器１１Ａにおいて暖房時低温流路Ｒ２の循環水Ｗから奪った熱を、凝縮器１３Ａにおいて暖房時中間温度流路Ｒ３の循環水Ｗに圧縮機１２Ａの動力エネルギーを加えて熱を受け渡す。
【００４１】
暖房時中間温度流路Ｒ３においては、循環水Ｗが凝縮器１３Ａを流れる際にターボ冷凍機１０Ａの熱媒体Ｈから熱を受け取って昇温し、この昇温した循環水Ｗが蒸発器１１Ｂに流入すると共に蒸発器１１Ｂを流れる際にターボ冷凍機１０Ｂの熱媒体Ｈに熱を奪われて降温する。
このように、循環水Ｗは、暖房時中間温度流路Ｒ３を循環することで、凝縮器１３Ａにおいて熱媒体Ｈから受け取った熱を、ターボ冷凍機１０Ｂにおいて熱媒体Ｈに受け渡す。
【００４２】
ターボ冷凍機１０Ｂにおいては、蒸発器１１Ｂにおいて暖房時中間温度流路Ｒ３の循環水Ｗから奪った熱を、凝縮器１３Ｂにおいて暖房時高温流路Ｒ１の循環水Ｗに圧縮機１２Ｂの動力エネルギーを加えて熱を受け渡す。
【００４３】
暖房時高温流路Ｒ１においては、循環水Ｗが凝縮器１３Ｂを流れる際にターボ冷凍機１０Ｂの熱媒体Ｈから熱を受け取って昇温し、この昇温した循環水Ｗが第一切替部２８を介して主熱交換部２２に流入し、ビル居室Ｒの空気に熱を受け渡してビル居室Ｒを暖房する。
そして、熱交換を終えて降温した循環水Ｗは、第一切替部２８に送り返された後に、ポンプＰ１に吸引されて凝縮器１３Ｂに送り出され、再び凝縮器１３Ｂにおいて熱媒体Ｈから熱を受け取って昇温する。
このように、循環水Ｗは、暖房時高温流路Ｒ１を循環することで、凝縮器１３Ｂにおいて熱媒体Ｈから受け取った熱を、主熱交換部２２においてビル居室Ｒの空気に熱を供給して、ビル居室Ｒを暖房する。
【００４４】
図５は、暖房時におけるターボ冷凍機１０（１０Ａ，１０Ｂ）の二段圧縮サイクルを圧力エンタルピ線図（ｐｈ線図）に示したものであって、横軸がエンタルピ（ｈ）、縦軸が圧力（ｐ）、実線がターボ冷凍機１０Ａのサイクル、破線がターボ冷凍機１０Ｂのサイクルを示している。
図５に示すように、暖房時においては、ターボ冷凍機１０Ａの二段圧縮サイクルが暖房に要求される蒸発器圧力ｐａ（＝ｐａ２）を満足する低圧側領域で構成されると共に、ターボ冷凍機１０Ｂの二段圧縮サイクルが暖房に要求される凝縮器圧力ｐｂ（＝ｐｂ２）を満足する高圧側領域で構成される（段積サイクル）。すなわち、暖房運転においては、図５に示すように、暖房時中間温度流路Ｒ３の循環水Ｗを介在させることにより、ターボ冷凍機１０（１０Ａ，１０Ｂ）一台当たりにおける蒸発器１１（１１Ａ，１１Ｂ）と凝縮器１３（１３Ａ，１３Ｂ）の圧力差（温度差）を大きくすることなく、蒸発器１１Ａの蒸発器圧力ｐａ（＝ｐａ２）と凝縮器１３Ｂの凝縮器圧力ｐｂ（＝ｐｂ２）とで暖房に必要となる圧力差（温度差）を確保することができる。
なお、ターボ冷凍機１０（１０Ａ，１０Ｂ）は、同一サイズ・同一回転数である必要は無く、暖房時に凝縮器１３Ａと蒸発器１１Ｂの必要熱量が一致するように、かつ、必要圧力差を満たせるように、サイズと回転数を定めればよい。
【００４５】
以上説明したように、温度調整装置１によれば、段積暖房モードＡ２において、ターボ冷凍機１０Ｂの蒸発器１１Ｂとターボ冷凍機１０Ａの凝縮器１３Ａとに循環水Ｗを循環させるので、ターボ冷凍機１０Ｂにおける高圧の二段圧縮サイクルとターボ冷凍機１０Ａにおける低圧の二段圧縮サイクルとで一つの段積サイクルを構成することが可能である。これにより、ターボ冷凍機１０Ａの低圧の二段圧縮サイクルによって低い蒸発器圧力ｐａ（＝ｐａ２）を確保することができると共に、ターボ冷凍機１０の高圧の二段圧縮サイクルによって高い凝縮器圧力ｐｂ（＝ｐｂ２）を確保することができるので、段積サイクル全体において蒸発器１１Ｂの蒸発器圧力ｐａ（＝ｐａ２）と凝縮器１３Ａの凝縮器圧力ｐｂと（＝ｐｂ２）の圧力差を大きく確保することができる。従って、ターボ冷凍機１０Ａ，１０Ｂ一機当たりに対する各遠心圧縮機１２の要求圧力比を小さくすることができるので、各遠心圧縮機１２の回転数を極端に増大させないで要求圧力比を満足させることが可能であり、効率低下を抑止しつつビル居室Ｒを暖房することができる。
また、配管接続構成を並列サイクル冷房モードＡ１から段積暖房モードＡ２に変更するだけで段積みサイクルを構成することが可能なので、装置構成を簡素にすることができる。
従って、暖房運転の効率低下を簡素な構成で抑止することができる。
【００４６】
（第一実施形態の第一変形例）
図６は、第一実施形態の第一変形例である温度調整装置１ａの概略構成図である。
温度調整装置１ａは、ターボ冷凍機１０Ａ，１０Ｂの熱媒体Ｈの量の調整可能な構成としている。
すなわち、図６に示すように、温度調整装置１ａでは、凝縮器１３Ａと凝縮器１３Ｂとを熱媒体移動用配管（流路）Ｎ１，Ｎ２で接続し、凝縮器１３Ａ側から凝縮器１３Ｂ側に向けて熱媒体Ｈを送るポンプＰ４及び弁Ｂ９を熱媒体移動用配管Ｎ１に配設し、凝縮器１３Ｂ側から凝縮器１３Ａ側に向けて熱媒体Ｈを送るポンプＰ５及び弁Ｂ１０を熱媒体移動用配管Ｎ２に配設している。
【００４７】
すなわち、暖房運転において高圧側のターボ冷凍機１０Ｂにおいては、熱媒体Ｈのガス密度を高くする必要があるために、凝縮器１３Ｂ及び蒸発器１１Ｂにおける熱媒体Ｈの液位が下がって凝縮器１３Ｂ及び蒸発器１１Ｂ内の熱媒体Ｈが不足してしまい、熱媒体Ｈのガス発生に支障を来す恐れがある。
一方、低圧側のターボ冷凍機１０Ａにおいては熱媒体Ｈのガス密度を低くする必要あるために、凝縮器１３Ａ及び蒸発器１１Ａにおける熱媒体Ｈの液位が上がって凝縮器１３Ａ及び蒸発器１１Ａの内部で溢れ、ガス発生のためのスペースが確保されなくなってガス発生に支障を来す恐れがある。
この温度調整装置１ａにおいては、冬季の暖房運転開始前に、高圧の二段圧縮サイクルが構成されるターボ冷凍機１０Ｂにターボ冷凍機１０Ａの熱媒体Ｈの一部を移動させることで、ターボ冷凍機１０Ａ，１０Ｂにおける熱媒体Ｈを過不足なく適量なものとすることで熱媒体Ｈのガス発生を安定させることができる。
なお、夏季の冷房運転開始前には、熱媒体Ｈのガス密度を同程度にして並列サイクルとして構成させるために、ターボ冷凍機１０Ｂからターボ冷凍機１０Ａに熱媒体Ｈを戻してターボ冷凍機１０Ａ，１０Ｂの熱媒体Ｈを再び同量とすることが望ましい。
また、熱媒体移動用配管Ｎ１，Ｎ２の配置場所は、熱媒体Ｈを移動させることができればターボ冷凍機１０Ａ，１０Ｂのいずれの箇所を接続してもよい。
【００４８】
（第一実施形態の第二変形例）
図７は、第一実施形態の第二変形例である温度調整装置１ｂを示す概略構成図である。
上述した温度調整装置１においては、弁Ｂ１〜Ｂ８を用いて循環系２０を構成したが、図７に示す温度調整装置１ｂは、三方弁を用いて循環系２０ｂを構成している。
すなわち、循環系２０ｂは、弁Ｂ１〜Ｂ４，Ｂ６，Ｂ７に代えて、主配管Ｍ１と副配管Ｓ１との接続部に配設された三方弁Ｔ１と、副配管Ｓ１と主配管Ｍ２との接続部に配設された三方弁Ｔ２と、主配管Ｍ５と副配管Ｓ２との接続部に配設された三方弁Ｔ３と、副配管Ｓ２と主配管Ｍ６との接続部に配設された三方弁Ｔ４とを有している。
【００４９】
この構成によれば、図８及び図１０に示すように、三方弁Ｔ１で主配管Ｍ１を連通させると共に三方弁Ｔ２で主配管Ｍ２を、三方弁Ｔ３で主配管Ｍ５を、三方弁Ｔ４で主配管Ｍ６を連通させ、また、弁Ｂ５，Ｂ８を閉とすることで、図８に太線で示すように、凝縮器１３Ａ，１３Ｂと第一切替部２８とポンプＰ１とが循環接続され（冷房時高温流路Ｃ１）、蒸発器１１Ａ，１１Ｂと第二切替部２９とポンプＰ２とが循環接続される（冷房時低温流路Ｃ２）。また、第一切替部２８を対外熱交換部２１に接続し、第二切替部２９を主熱交換部２２に接続する。
つまり、上述した並列サイクル冷房モードＡ１を設定することが可能である。
【００５０】
また、図９及び図１０に示すように、三方弁Ｔ１と三方弁Ｔ２とで副配管Ｓ１を連通させると共に、三方弁Ｔ３と三方弁Ｔ４とで副配管Ｓ２を連通させ、さらに、弁Ｂ５，Ｂ８を開とする。
そうすると、図９に太線で示すように、凝縮器１３Ｂと第一切替部２８とポンプＰ１とが循環接続され（暖房時高温流路Ｒ１）、蒸発器１１Ａと第二切替部２９とポンプＰ２とが循環接続され（暖房時低温流路Ｒ２）、凝縮器１３Ａと蒸発器１１ＢとポンプＰ３とが循環接続される（暖房時中間温度流路Ｒ３）。
また、第一切替部２８を主熱交換部２２に接続し、第二切替部２９を対外熱交換部２１に接続する。
つまり、上述した段積暖房モードＡ２を設定することが可能である。
【００５１】
このように、三方弁Ｔ１〜Ｔ４を用いることで、弁の数を省略して、装置構成を更に簡素にすることができ、かつ、制御も容易にすることが可能である。
【００５２】
（第二実施形態）
図１１は、本発明の第二実施形態に係る温度調整装置２の概略構成図である。なお、図１１において、図１から図１０と同様の構成要素については、同一の符号を付して説明を省略する。
【００５３】
温度調整装置２は、上述した循環系２０の構成に対して副配管Ｓ５と副配管Ｓ６とを付加した循環系２０ｃを備えている。
副配管Ｓ５は、主配管Ｍ２のうち副配管Ｓ３よりも凝縮器１３Ａ側と主配管Ｍ３とを接続しており、弁Ｂ１１を備えている。
副配管Ｓ６は、主配管Ｍ６のうち副配管Ｓ３よりも蒸発器１１Ｂ側と主配管Ｍ７とを接続しており、弁Ｂ１２を備えている。
【００５４】
次に、温度調整装置２の作用について説明する。
図１２は、並列サイクル冷房モードＡ１の場合における循環系２０ｃの配管接続図である。
並列サイクル冷房モードＡ１においては、図１２に示すように、弁Ｂ１，Ｂ２，Ｂ３，Ｂ４を開とすると共に弁Ｂ５，Ｂ６，Ｂ７，Ｂ８，Ｂ１１，Ｂ１２を閉とし、第一切替部２８を対外熱交換部２１に接続し、第二切替部２９を主熱交換部２２に接続する。
このようにすることで、図１２に太線で示すように、凝縮器１３Ａ，１３Ｂと第一切替部２８とポンプＰ１とが循環接続され（冷房時高温流路Ｃ１）、蒸発器１１Ａ，１１Ｂと第二切替部２９とポンプＰ２とが循環接続される（冷房時低温流路Ｃ２）。
【００５５】
図１３は、段積暖房モードＡ２の場合における循環系２０ｃの配管接続図である。
段積暖房モードＡ２においては、弁Ｂ１，Ｂ２，Ｂ３，Ｂ４，Ｂ１１，弁Ｂ１２を閉とすると共に弁Ｂ５，Ｂ６，Ｂ７，Ｂ８を開とし、第一切替部２８を主熱交換部２２に接続し、第二切替部２９を対外熱交換部２１に接続する。
そうすると、図１３に太線で示すように、凝縮器１３Ｂと第一切替部２８とポンプＰ１とが循環接続され（暖房時高温流路Ｒ１）、蒸発器１１Ａと第二切替部２９とポンプＰ２とが循環接続され（暖房時低温流路Ｒ２）、凝縮器１３Ａと蒸発器１１ＢとポンプＰ３とが循環接続される（暖房時中間温度流路Ｒ３）。
【００５６】
図１４は、冷房部分負荷モード（第三モード）Ａ３の場合における循環系２０ｃの配管接続図である。
図１４に示すように、弁Ｂ１，Ｂ２，Ｂ４，Ｂ５，Ｂ７，Ｂ８，Ｂ１１を閉とすると共に弁Ｂ３，Ｂ６，Ｂ１２を開とし、第一切替部２８を対外熱交換部２１に接続し、第二切替部２９を主熱交換部２２に接続する。
このようにすることで、図１４に太線で示すように、副配管Ｓ１が主配管Ｍ１と主配管Ｍ２とを連通させて凝縮器１３Ａをバイパスすることにより、凝縮器１３Ａに循環水Ｗが流入しなくなるために、凝縮器１３Ｂと第一切替部２８とポンプＰ１とが循環接続され、また、副配管Ｓ６が主配管Ｍ６と主配管Ｍ７とを連通させて蒸発器１１Ａをバイパスすることにより、蒸発器１１Ａに循環水Ｗが流入しなくなるために、蒸発器１１Ｂと第二切替部２９とポンプＰ２とが循環接続される。
【００５７】
図１５は、冷房部分負荷モード（第四モード）Ａ４の場合における循環系２０ｃの配管接続図である。
図１５に示すように、弁Ｂ１，Ｂ７，Ｂ１１を開とすると共に弁Ｂ２〜Ｂ６，Ｂ８，Ｂ１２を閉とし、第一切替部２８を対外熱交換部２１に接続し、第二切替部２９を主熱交換部２２に接続する。
このようにすることで、図１５に太線で示すように、副配管Ｓ５が主配管Ｍ２と主配管Ｍ３とを連通させて凝縮器１３Ｂをバイパスすることにより、凝縮器１３Ｂに循環水Ｗが流入しなくなるために、凝縮器１３Ａと第一切替部２８とポンプＰ１とが循環接続され、また、副配管Ｓ２が主配管Ｍ５と主配管Ｍ６とを連通させて蒸発器１１Ｂをバイパスすることにより、蒸発器１１Ｂに循環水Ｗが流入しなくなるために、蒸発器１１Ａと第二切替部２９とポンプＰ２とが循環接続される。
【００５８】
これらにより、ターボ冷凍機１０Ａ及びターボ冷凍機１０Ｂの一方のみを用いて循環水Ｗを循環させることにより、冷房部分負荷運転に対応することができる。また、他方の凝縮器１３及び蒸発器１１を循環水Ｗが通過しないので、熱損失を抑制することができる。
【００５９】
（第三実施形態）
図１６は、第三実施形態に係る温度調整装置３の概略構成図である。
図１６に示すように、温度調整装置３は、上述した循環系２０の構成に対して、副配管Ｓ３，Ｓ４を省略すると共に副配管Ｓ７，Ｓ８を付加した循環系２０ｄを備えている。
副配管Ｓ７は、主配管Ｍ１のうち弁Ｂ１よりも凝縮器１３Ａ側と主配管Ｍ６のうち弁Ｂ４よりも蒸発器１１Ｂ側を接続しており、弁Ｂ１３とポンプＰ６とを備えている。
副配管Ｓ８は、主配管Ｍ５のうち弁Ｂ３よりも蒸発器１１Ｂ側と主配管Ｍ２のうち弁Ｂ２よりも凝縮器１３Ａ側を接続しており、弁Ｂ１４を備えている。
なお、ポンプＰ６は副配管Ｓ７ではなく副配管Ｓ８に設けてもよい。
【００６０】
図１７は、並列サイクル冷房モードＡ１の場合における循環系２０ｄの配管接続図である。
並列サイクル冷房モードＡ１においては、弁Ｂ１〜Ｂ４を開とすると共に弁Ｂ６，Ｂ７，Ｂ１３，Ｂ１４を閉とし、第一切替部２８を対外熱交換部２１に接続すると共に第二切替部２９を主熱交換部２２に接続する。
このようにすることで、図１７に太線で示すように、凝縮器１３Ａ，１３Ｂと第一切替部２８とポンプＰ１とが循環接続され（冷房時高温流路Ｃ１）、蒸発器１１Ａ，１１Ｂと第二切替部２９とポンプＰ２とが循環接続される（冷房時低温流路Ｃ２）。
【００６１】
図１８は、段積暖房モードＡ２の場合における循環系２０ｄの配管接続図である。
段積暖房モードＡ２においては、弁Ｂ１〜Ｂ４を閉とすると共に弁Ｂ６，Ｂ７，Ｂ１３，Ｂ１４を開とし、第一切替部２８を主熱交換部２２に接続すると共に第二切替部２９を対外熱交換部２１に接続する。
そうすると、副配管Ｓ１が連通すると共に弁Ｂ１，Ｂ２が閉とされることで、図１８に太線で示すように、凝縮器１３Ｂと第一切替部２８とポンプＰ１とが循環接続される（暖房時高温流路Ｒ１）。
また、副配管Ｓ２が連通すると共に弁Ｂ３，Ｂ４が閉とされることで、蒸発器１１Ａと第二切替部２９とポンプＰ２とが循環接続される（暖房時低温流路Ｒ２）。
さらに、副配管Ｓ７と副配管Ｓ８とが連通すると共に弁Ｂ１〜Ｂ４が閉とされることで、凝縮器１３Ａと蒸発器１１ＢとポンプＰ６とが循環接続される（以下、暖房時中間温度流路Ｒ３）。
【００６２】
以上説明したように、循環系２０ｄの構成であっても、上述した第一実施形態と同様の作用効果を得ることが可能である。
【００６３】
なお、上述した実施の形態において示した動作手順、あるいは各構成部材の諸形状や組み合わせ等は一例であって、本発明の主旨から逸脱しない範囲において設計要求等に基づき種々変更可能である。
例えば、上述した実施の形態では、二機のターボ冷凍機１０Ａ，１０Ｂで温度調整装置１（１ａ，１ｂ），２，３を構成したが、三台以上のターボ冷凍機で温度調整装置１（１ａ，１ｂ），２，３を構成してもよい。例えば、一対のターボ冷凍機１０Ａ，１０Ｂと一機のターボ冷凍機とを並列に接続する構成、一対のターボ冷凍機１０Ａ，１０Ｂを二つ以上用意して並列に接続する構成が考えられる。
【００６４】
また、ポンプＰ１，Ｐ２，Ｐ３，Ｐ４，Ｐ５及びＰ６のうち少なくとも一つの流れの向きを逆方向に設定してもよい。なお、Ｐ４及びＰ５は、互いに流れの向きが逆方向になるように設定することが望ましい。
【００６５】
また、上述した実施の形態においては、暖房運転の際（冬季）における暖房時低温流路Ｒ２の循環水Ｗの凍結対策について特に言及しなかったが、例えば、循環水Ｗに不凍液を混入させることにより、循環水Ｗの凍結を防止することが可能である。
【００６６】
また、上述した実施の形態においては、二つの羽根車が設けられた遠心圧縮機１２を備えるターボ冷凍機１０を用いて本発明を構成したが、一つ、又は、三つ以上の羽根車が設けられた遠心圧縮機１２を備えるターボ冷凍機を用いて本発明を構成してもよい。
【００６７】
また、上述した実施の形態においては、中間冷却器１４及び膨張弁１５，１６を備えて二段圧縮サイクルを構成するターボ冷凍機１０を用いる構成としたが、単数の膨張弁のみを備えて中間冷却器のない単段圧縮サイクルを構成するターボ冷凍機を用いてもよい。あるいは、中間冷却器が複数あり、膨張弁が中間冷却器の個数よりも１つ多い個数の多段圧縮サイクルを構成するターボ冷凍機でもよい。
【００６８】
また、上述した実施の形態においては、ビルの空調用に本発明を適用したが、ビル以外の建造物あるいは建造物以外の構造物の温度調整用として本発明を適用してもよい。
【００６９】
また、上述した実施の形態においては、説明便宜のためにターボ冷凍機１０について符号１０Ａ，１０Ｂを用いて区別したが、段積暖房モードＡ２時において蒸発器１１Ｂと凝縮器１３Ａとを接続して構成した暖房時中間温度流路Ｒ３の代わりに、蒸発器１１Ａと凝縮器１３Ｂとを接続して暖房時中間温度流路（Ｒ３）を構成してもよい。但し、この場合においては、ターボ冷凍機１０Ａ側が「一対のターボ冷凍機のうち片方のターボ冷凍機」、ターボ冷凍機１０Ｂ側が「一対のターボ冷凍機のうち残り片方のターボ冷凍機」となる。
【符号の説明】
【００７０】
１（１ａ，１ｂ），２，３…温度調整装置
１０（１０Ａ）…ターボ冷凍機（一対のターボ冷凍機のうち残り片方のターボ冷凍機）
１０（１０Ｂ）…ターボ冷凍機（一対のターボ冷凍機のうち片方のターボ冷凍機）
１１（１１Ａ，１１Ｂ）…蒸発器
１２…遠心圧縮機（圧縮機）
１３（１３Ａ，１３Ｂ）…凝縮器
１５，１６…膨張弁
２０，２０ｂ〜２０ｄ…循環系
２１…対外熱交換部
２２…主熱交換部
Ａ１…並列サイクル冷房モード（第一モード）
Ａ２…段積暖房モード（第二モード）
Ａ３…冷房部分負荷モード（第三モード）
Ａ４…冷房部分負荷モード（第四モード）
Ｈ…熱媒体
Ｎ１，Ｎ２…熱媒体移動用配管（流路）
Ｒ…ビル居室（温度調整対象）
Ｗ…循環水（流体）
【図１】
2011257036.tif 000003
【図２】
2011257036.tif 000004
【図３】
2011257036.tif 000005
【図４】
2011257036.tif 000006
【図５】
2011257036.tif 000007
【図６】
2011257036.tif 000008
【図７】
2011257036.tif 000009
【図８】
2011257036.tif 000010
【図９】
2011257036.tif 000011
【図１０】
2011257036.tif 000012
【図１１】
2011257036.tif 000013
【図１２】
2011257036.tif 000014
【図１３】
2011257036.tif 000015
【図１４】
2011257036.tif 000016
【図１５】
2011257036.tif 000017
【図１６】
2011257036.tif 000018
【図１７】
2011257036.tif 000019
【図１８】
2011257036.tif 000020